(57)【特許請求の範囲】
【請求項１】
左右一対のスキー板の先端部にそれぞれ取り付けられる一対の固定部材と、
当該両固定部材の内端部に上下方向に突設された係止突部と、
当該係止突部と着脱可能かつ前後方向に相対回動可能に嵌合する少なくとも２つの係合穴が設けられた板状の弾性材料からなる連結部材と、
前記連結部材の中央部に突設された回動規制部であって、前記固定部材と当接することにより前記連結部材と両固定部材との相対回動角度を制限する回動規制部と、
を有することを特徴とするスキー板の先端部連結器具。
【請求項２】
前記固定部材は、スキー板の先端部に対して着脱可能に取り付けられるべく、スキー板の先端部を挟み込んで圧着することができるカムロックレバーが軸着されていることを特徴とする請求項１に記載のスキー板の先端部連結器具。
【発明の詳細な説明】
【０００１】
【発明の属する技術分野】
本発明は、スキーの初心者等が使用するのに適したスキー練習用の器具に関するものであり、特に、スキー板の先端部同士を連結させるためのスキー板の先端部連結器具に関するものである。
【０００２】
【従来の技術】
従来、スキー技術の習得のための器具として、スキー板の先端部連結器具が種々提案されている。
【０００３】
例えば、実用新案登録第３０３８４３４号(実願平８−１０８００号)においては、一対のスキー板の先端部を弾性連結体（コイルスプリング）と可撓性ワイヤにて連結し、スキー操作に一定の自由度を残しながらもスキー板の先端の相互間隔が適度に保たれるようにした「スキー連結具」が知られている。
【０００４】
【発明が解決しようとする課題】
しかし、上記従来のスキー連結具においては、単にスキー板の先端部間の間隔を一定に保つことには適するものの、スキー板の先端部の位置関係の自由度が大きすぎるとか、万一の場合のスキー板の先端部の分離が困難であるなどの理由から、実際のスキー技術の習得にはあまり適さないといった問題や、安全性に疑問があるといった問題がある。
【０００５】
一方、スキー板の先端部の位置関係の自由度をある程度制限するとともに、万一の場合のスキー板の先端部の分離が可能であるスキー板の先端部連結器具としては、特公平６−５９３３８号（特願昭６３−３８４４８号）に記載の「スキー先端連結装置」が知られている。
【０００６】
ところが、このスキー先端連結装置においては、連結装置が伸縮性を全く有さないため、スキー板の先端部間の位置関係が規制（固定）されすぎており、スキー板の操作が窮屈であり、この連結装置にて対応できるスキー技術の練習は、極めて限られた範囲のものとなってしまうとか、スキーそのものが面白くなくなってしまうという問題がある。
【０００７】
そこで、本発明の目的は、軽量かつコンパクトで、適度な柔軟性を保ちつつスキー板の先端部同士を連結することができ、簡単かつ安全に使用できるスキー板の先端部連結器具を提供することにある。
【０００８】
本発明の他の目的は、スキー板の先端部間の位置関係が適度に規制され、スキー技術を正しく習得することができ、しかも対応できるスキー技術の幅が広く、楽しくスキー技術の向上を図ることができるスキー板の先端部連結器具を提供することにある。
【０００９】
本発明の他の目的は、スキー板の先端部に対して簡単かつ確実に装着することができ、また、簡単に取り外すことができるスキー板の先端部連結器具を提供することにある。
【００１０】
【課題を解決するための手段】
上記課題を解決するため、請求項１に記載の本発明の採った手段は、「左右一対のスキー板の先端部Ｓにそれぞれ取り付けられる一対の固定部材２０と、当該両固定部材２０の内端部２８に上下方向に突設された係止突部２９と、当該係止突部２９と着脱可能かつ前後方向に相対回動可能に嵌合する少なくとも２つの係合穴３１が設けられた板状の弾性材料からなる連結部材３０と、前記連結部材３０の中央部に突設された回動規制部３２であって、前記固定部材２０と当接することにより前記連結部材３０と両固定部材２０との相対回動角度を制限する回動規制部３２と、を有することを特徴とするスキー板の先端部連結器具１０」である。
【００１１】
従って、このスキー板の先端部連結器具１０によれば、スキー板の先端部Ｓに取り付けられる固定部材２０同士が板状の弾性材料からなる連結部材３０を介して互いに連結され、スキー板の先端部Ｓが互いに略一定の間隔に保たれるとともに、前後方向の相対位置が変更される。
【００１２】
また、連結部材３０が弾性変形可能であることから、スキー板の先端部Ｓ同士をねじれの位置関係とし、スキーを行うことも可能となる。
【００１３】
さらに、回動規制部３２により、スキー板の先端部Ｓ同士の前後方向の相対位置が一定の範囲に制限されるため、スキー板の先端部Ｓまたは固定部材２０同士が衝突してスキー板または固定部材２０に傷が付いたり、安定した滑走を妨げるということがない。
【００１４】
さらに、固定部材２０の係止突部２９と連結部材３０の係合穴３１は、互いに着脱可能であるため、転倒の際等においてスキー板の先端部Ｓ同士の連結を自然に解除して安全性を高めたり、任意に両者の嵌合状態を外すことで、この練習用具を使用しない場合（休憩したり、歩いたり、リフトに乗る場合等）に、簡単に通常の状態とすることができる。
【００１５】
請求項２に記載の本発明は、「前記固定部材２０は、スキー板の先端部Ｓに対して着脱可能に取り付けられるべく、スキー板の先端部Ｓを挟み込んで圧着することができるカムロックレバー２３が軸着されていることを特徴とする請求項１から４のいずれかに記載のスキー板の先端部連結器具１０」である。
【００１６】
従って、このスキー板の先端部連結器具１０においては、カムロックレバー２３を回動操作することで簡単かつ確実にスキー板の先端部Ｓに固定部材２０が装着される。
【００１７】
【発明の実施の形態】
本発明のスキー板の先端部連結器具の実施の形態（一実施例）について図面に従って説明する。
【００１８】
本発明を具体化したスキー板の先端部連結器具１０は、図１に示すように、合成樹脂等にて左右対称に形成された一対の固定部材２０を備えている。この固定部材２０は、図１〜３に示すように、板材の端部をチャンネル状に屈曲させたような形状（２つの壁部２１とその間の谷部２２とからなる形状）となっており、その２つの壁部２１は、スキー板の先端部Ｓの間隔と対応するように所定間隔だけ離れて設けられている。
【００１９】
そして、図４に示すように、その壁部２１の内面間にはカムロックレバー２３が回動可能に軸着されているが、このカムロックレバー２３の下面と、固定部材２０の谷部２２の上面との間には、スキー板の先端部Ｓの厚みより若干大きな間隔を有するようになっている。
【００２０】
さらに、カムロックレバー２３は、それを引き起こした状態における固定部材２０の谷部２２の上面との距離が、カムロックレバー２３を倒した状態における固定部材２０の谷部２２の上面との距離よりも大きくなるように、カムロックレバー２３の回動中心軸２４の周辺部の径が変更されている。
【００２１】
従って、このカムロックレバー２３を引き起こした状態でその下方にスキー板の先端部Ｓを挿入した後、カムロックレバー２３を回動させて倒し、カムロックレバー２３が固定部材２０の谷部２２の上面と略平行となるように操作すると、カムロックレバー２３の下面と固定部材２０の谷部２２の上面との間にスキー板の先端部Ｓが挟み込まれて圧着することができるようになっている。
【００２２】
尚、この固定部材２０の谷部２２の上面には、図３及び図４に示すようにゴムからなるスペーサー（クッション材）２５がその底面に突設された突起２６が谷部２２の孔２７に嵌合することにより、着脱可能に取り付けられている。
【００２３】
従って、このスペーサー２５によってカムロックレバー２３と固定部材２０の谷部２２との間隔を調整できるようになっている。
【００２４】
このスペーサー２５は、その中央部を境にその厚みが異なるようになっているため、固定部材２０の谷部２２の上面に対する取り付け方向を１８０度変更することで、カムロックレバー２３と固定部材２０との間隔を変更し、厚さの異なるスキー板に対応できるようになっている。
【００２５】
前記左右一対の固定部材２０は、図１及び図３に示すように、その内端側の壁部２１の上端部が側方に折り曲げられるように延長されることにより、内端部２８が斜め前方へ膨出形成されており、その内端部２８の下面には、略上下方向に沿って突設された係止突部２９が設けられている。
【００２６】
そして、前記両固定部材２０同士を互いに連結すべく、両連結部材２０の内端部２８には、板状の弾性材料からなる連結部材３０が取り付けられている（図５参照）。この連結部材３０には、前記両固定部材２０の内端部２８の前記係止突部２９に対し、着脱可能かつ略前後方向に相対回動可能に嵌合する係合穴３１が設けられている。
【００２７】
さらに、前記連結部材３０の略中央部には、図１及び図６に示すように、回動規制部３２が突設されている。この回動規制部３２は、前記固定部材２０の内端部２８と当接することにより前記連結部材３０と両固定部材２０との相対回動角度を制限するようになっている。
【００２８】
次に、上記のように構成されたスキー板の先端部連結器具１０の使用方法について説明する。
【００２９】
このスキー板の先端部連結器具１０を使用するには、図２に示すようにカムロックレバー２３を引き起こした状態で、固定部材２０の谷部２２の上面（スペーサー２５の上面）にスキー板の先端部Ｓを載置し、その後、カムロックレバー２３を回動させて倒し、カムロックレバー２３が固定部材２０の谷部２２の上面と略平行となるように操作する。すると、図４に示すようにカムロックレバー２３の下面と固定部材２０の谷部２２の上面（スペーサー２５の上面）との間にスキー板の先端部Ｓが挟み込まれて圧着することができるようになっている。
【００３０】
尚、スペーサー２５の厚みとスキー板の先端部Ｓの厚みとが適合しない場合には、スペーサー２５の取り付け方向を逆転させたり、別途用意した異なる厚みのスペーサー２５を使用してスキー板が確実に固定部材２０に取り付けられるようにする。
【００３１】
そして、連結部材３０に設けられた２つの係合穴３１に対し、両固定部材２０の各係止突部２９を嵌合し、前記両固定部材２０同士を互いに連結する。
【００３２】
以上の操作により、スキー板の先端部Ｓ同士を簡単かつ正確に連結させることができるが、固定部材２０をスキー板の先端部Ｓに装着する前に予め両固定部材２０に連結部材３０を取り付けておいてからスキー板の先端部Ｓに固定部材２０を装着してもよい。
【００３３】
そして、このスキー板の先端部連結器具１０においては、スキー板の先端部Ｓに取り付けられる固定部材２０同士が板状の弾性材料からなる連結部材３０にて互いに連結されるため、スキー板の先端部Ｓが互いに略一定の間隔に保たれるとともに、前後方向の相対位置を変更することも容易である。
【００４２】
特に、このスキー板の先端部連結器具１０においては、両足（両スキー板）を平行にした状態としたり、両足の先端側を閉じ後端側を開いた状態とすることができるばかりか、連結部材３０が弾性変形可能であることから、図７及び図８に示すようにスキー板の先端部Ｓ同士をねじれの位置関係とすることもできる。
【００３４】
従って、このスキー板の先端部連結器具１０においては、スキー板をかなり自由に操作して、種々のスキー技術を習得することができる。
【００３５】
さらに、回動規制部３２により、スキー板の先端部Ｓ同士の前後方向の相対位置が一定の範囲に制限されるため、図１０に示すようにスキー板の先端部Ｓが回りすぎてスキー板の先端部Ｓまたは固定部材２０同士が衝突してスキー板または固定部材２０に傷が付くことを防ぐことができ、しかも、安定した滑走を得ることができる。
【００３６】
さらに、固定部材２０の係止突部２９と連結部材３０の係合穴３１は、互いに着脱可能であるため、両者の嵌合状態を外すことで、この練習用具を使用しない場合に、簡単に通常の状態とすることができ、休憩したり、歩行したり、リフトに乗ったりする場合に便利である。
【００３７】
また、カムロックレバー２３を操作することで簡単かつ確実にスキー板の先端部から固定部材２０を外すことができる。
【００３８】
本発明は、上記実施例に限定されるものではなく、図９及び図１０に示すように、前記実施例における回動規制部３２を省略して実施したり、固定部材２０、連結部材３０、スペーサー２５、係止突部２９、係合穴３１等の形状、寸法、取り付け位置、数量、材質等を適宜変更して実施してもよい。
【００３９】
さらに、本発明の趣旨を逸脱しない範囲で、固定部材２０の上面に係止突部を突設し、連結部材３０を固定部材２０の上面側に取り付けるようにして実施したり、連結部材３０に３つ以上の係合穴３１を設け、その任意の係合穴３１に固定部材２０の係止突部２９を嵌合するようにし、固定部材２０間の距離（スキー板の先端部Ｓ間の間隔）を変更できるようにして実施してもよい。
【００４０】
また、カムロックレバー２３を使用しないでネジにて固定部材２０をスキー板の先端部Ｓに締め付け固定するようにしたり、バネにてスキー板を弾性的に挟み込むようにして固定部材２０をスキー板の先端部Ｓに固定するようにして実施してもよい。
【００４１】
【発明の効果】
以上詳述したように、本発明のスキー板の先端部連結器具は、構造が簡単であるため、軽量かつコンパクトに製造可能であり、しかも取り扱いが容易で、簡単かつ安全にスキー板の先端部同士を適度の柔軟性を保ちながら連結することができる。
【００４２】
また、連結部材は、両固定部材の内端部に対し、２点にてそれぞれ略前後方向に相対回動可能に取り付けられるため、スキー板の先端部の前後方向の相対位置の変更を容易に行うことができる。
【００４３】
従って、本発明のスキー板の先端部連結器具は、固定部材と連結部材とによってスキー板の先端部間の位置関係を適度に規制し、初心者等がスキー技術を正しく習得することができ、しかも対応できるスキー技術の幅が広く、楽しくスキー技術の向上を図ることができるという優れた効果を奏する。
【００４４】
本発明においては、スキー板の先端部に取り付けられる固定部材同士は、板状の弾性材料からなる連結部材を介して互いに適度な柔軟性を保ちつつ連結される。従って、スキー滑走中において、スキー板の先端部は、互いに略一定の間隔を保つとともに、前後方向の相対位置を適宜変更することも容易である。
【００４５】
さらには、板状の連結部材が適度に弾性変形可能であることから、スキー板の先端部同士をねじれの位置関係とし、スキーを行うこともできる。
【００４６】
本発明においては、スキー板の先端部に取り付けられる固定部材同士が弾性材料からなる連結部材を介して互いに連結され、スキー板の先端部が互いに略一定の間隔を保つとともに、前後方向に相対位置を適宜変更することも容易である。
【００４７】
さらには、連結部材が弾性変形可能であることから、スキー板の先端部同士をねじれの位置関係とし、スキーを行うこともできる。
【００４８】
本発明においては、スキー板の先端部同士の前後方向の相対位置が一定の範囲に制限され、スキー板の先端部または固定部材同士が衝突してスキー板または固定部材に傷が付いたり、安定した滑走を妨げることがないという優れた効果を奏する。
【００４９】
特に、請求項１に記載の本発明においては、請求項１に記載の本発明と同様に、スキー板の先端部に取り付けられる固定部材同士が板状の弾性材料からなる連結部材を介して互いに連結され、スキー板の先端部が互いに略一定の間隔を保つとともに、前後方向に相対位置を適宜変更することも容易である。
【００５０】
また、板状の連結部材が適度に弾性変形可能であることから、スキー板の先端部同士をねじれの位置関係とし、スキーを行うこともできる。
【００５１】
さらに、連結部材の回動規制部により、スキー板の先端部同士の前後方向の相対位置が一定の範囲に制限されるため、スキー板の先端部または固定部材同士が衝突してスキー板または固定部材に傷が付いたり、安定した滑走を妨げるということがない。
【００５２】
さらに、固定部材の係止突部と連結部材の係合穴は、互いに着脱可能であるため、両者の嵌合状態を外すことで、この練習用具を使用しない場合に、簡単に通常の状態とすることができるという優れた効果を奏する。
【００５３】
本発明においては、ロックレバーを操作することで簡単かつ確実にスキー板の先端部に固定部材を装着することができるという優れた効果を奏する。
【図面の簡単な説明】
【００５４】
【図１】  本発明のスキー板の先端部連結器具の使用状態を示す斜視図。
【図２】  本発明のスキー板の先端部連結器具の固定部材とそのカムロックレバーを示す斜視図。
【図３】  本発明のスキー板の先端部連結器具の固定部材とスペーサーを示す分解斜視図。
【図４】  スキー板の先端部に装着された本発明のスキー板の先端部連結器具の固定部材の断面図。
【図５】  本発明のスキー板の先端部連結器具の連結部材を示す平面図。
【図６】  本発明のスキー板の先端部連結器具の連結部材を示す正面図。
【図７】  本発明のスキー板の先端部連結器具の使用状態を示す平面図。
【図８】  本発明のスキー板の先端部連結器具の使用状態を示す斜視図。
【図９】  本発明の他の実施例のスキー板の先端部連結器具を示す平面図。
【図１０】  本発明の他の実施例のスキー板の先端部連結器具の使用状態を示す平面図。
【符号の説明】
【００５５】
１０  スキー板の先端部連結器具
２０  固定部材
２１  壁部
２２  谷部
２３  カムロックレバー
２４  中心軸
２５  スペーサー
２６  突起
２７  孔
２８  内端部
２９  係止突部
３０  連結部材
３１  係合穴
３２  回動規制部
Ｓ  先端部
【図１】
0004174782.tif 000002
【図２】
0004174782.tif 000003
【図３】
0004174782.tif 000004
【図４】
0004174782.tif 000005
【図５】
0004174782.tif 000006
【図６】
0004174782.tif 000007
【図７】
0004174782.tif 000008
【図８】
0004174782.tif 000009
【図９】
0004174782.tif 000010
【図１０】
0004174782.tif 000011